(57)【要約】【課題】  消防ホースを手軽に巻き取れるのは無論のこと、巻き上げた消防ホースをその巻上げ形態を崩すことなく取り出すことのできる消防ホース巻取機が求められている。【解決手段】  消防ホース巻取機１は、本体架台２の側板４Ａに設けた軸受穴に、手回しハンドル軸付きの巻取軸１１が略水平軸心廻りに回動自在に軸支され、巻取軸１１に、消防ホースの巻き始め端部を掛止する掛止軸１２が設けられていて、巻取軸１１の手動回転により消防ホースを巻き取るものである。そして、軸受穴から連続する連通溝が本体架台２の側板４Ａに設けられ、軸受穴および連通溝は、巻取軸１１が軸受穴を通り且つ掛止軸１２が連通溝を通って巻取軸軸心方向に挿脱可能となるようにそれぞれ形成されている。【選択図】      図１
2006021848.tif 000002
【特許請求の範囲】
【請求項１】
本体架台の軸受穴に、手回しハンドル軸付きの巻取軸が略水平軸心廻りに回動自在に軸支され、巻取軸に、消防ホースの巻き始め端部を掛止する掛止軸が設けられていて、巻取軸の手動回転により消防ホースを巻き取る消防ホース巻取機において、軸受穴から連続する連通溝が本体架台に設けられ、軸受穴および連通溝は、巻取軸が軸受穴を通り且つ掛止軸が連通溝を通って巻取軸軸心方向に挿脱可能となるように、それぞれ形成されていることを特徴とする消防ホース巻取機。
【請求項２】
消防ホースを載置して巻取軸に案内する支持ロールを本体架台に回動自在に設け、巻取軸と平行に回動自在の押圧ロールを軸支する揺動部を本体架台に上下揺動自在に設け、揺動部に、支持ロールからの消防ホースに押圧ロールを弾性的に押し付ける付勢機構を設けた請求項１に記載の消防ホース巻取機。
【請求項３】
支持ロールの、消防ホースを巻取軸に案内する方向に沿う断面の外輪郭形状が多角形に形成されている請求項２に記載の消防ホース巻取機。
【発明の詳細な説明】
【技術分野】
【０００１】
本発明は、消防ホースを一重巻きまたは二重巻きに巻き取る手動式の消防ホース巻取機に関するものである。
【背景技術】
【０００２】
この種の従来の消防ホース巻取機を図１１に示す。図に示した消防ホース巻取機７１は、巻き取る消防ホースを載置する底板８７と、底板８７の左右両側に立設された案内側板７５Ａ、７５Ｂと、案内側板７５Ａ、７５Ｂの後部に立設された軸受板部７３Ａ、７３Ｂとから成る本体架台７２を備えている。軸受板部７３Ａ、７３Ｂの上部には軸受部７４Ａ、７４Ｂがそれぞれ形成されている。軸受部７４Ａ、７４Ｂから連続する縦溝７６Ａ、７６Ｂが軸受板部７３Ａ、７３Ｂの上面に開口して形成されている。案内側板７５Ａ，７５Ｂの前端間には枢支軸７８が水平方向に横架され、この枢支軸７８に円筒状の支持ロール７７が回動自在に枢支されている。支持ロール７７の上方には、Ｕ字状の枢支軸８０に回動自在に枢支された挟み付けロール７９が配備されている。枢支軸８０は案内側板７５Ａ，７５Ｂに対し矢印８２方向に着脱可能となっており、２つの先端がナット８１，８１で固定されている。そして、消防ホースを巻き取る巻取軸１１の途中に、消防ホースの端部を掛止する掛止軸１２が巻取軸１１から分岐して設けられている。巻取軸１１は手回し用のハンドル軸１６を備えている。巻取軸１１は軸受部７４Ａ，７４Ｂから連続する縦溝７６Ａ，７６Ｂを通して上下方向（矢印８４方向）に出し入れされ、軸受部７４Ａ，７４Ｂ上で水平軸心廻りに回動自在に軸支されるようになっている。
【０００３】
前記した消防ホース巻取機７１は、使用にあたり、まず巻取軸１１が軸受板部７３Ａ，７３Ｂの上方から縦溝７６Ａ，７６Ｂを通されて軸受部７４Ａ，７４Ｂ上に置かれる。次に、ほぼ中間部分で折り返して二重にされた消防ホースの折返し部分が、支持ロール７７と挟み付けロール７９の間を通されて巻取軸１１に案内され、掛止軸１２に掛止される。そこで、ハンドル軸１６を手で持って矢印８３方向に回すと、回転する巻取軸１１および掛止軸１２により消防ホースが巻き取られる。消防ホースは巻き取られる前に支持ロール７７と挟み付けロール７９との間で絞られて水抜きされる。そうして、消防ホースを巻き終えると巻上げホースとなり、この巻上げホースと一体で巻取軸１１が縦溝７６Ａ，７６Ｂから上方に抜き出されるようになっている。このような消防ホース巻取機７１は例えば下記の特許文献１に記載されている。また、特許文献２にも同様な構成の消防ホース巻取機が記載されている。
【０００４】
【特許文献１】特開平２００２−１７３２７１号公報
【特許文献２】特開平２００１−９０５４号公報
【発明の開示】
【発明が解決しようとする課題】
【０００５】
ところで、上記した消防ホース巻取機７１により得られた巻上げホースＨＲは巻取軸１１および掛止軸１２とともに一体に取り出されるので、図１２に示すように、巻上げホースＨＲをいったん地面Ｅなどに置いて巻取軸１１および掛止軸１２を抜き取らなければならない（矢印８６方向）。しかしながら、巻取軸１１の先端は巻上げホースＨＲの底面から突出しているため、巻上げホースＨＲを地面Ｅなどに置くと、巻上げホースＨＲが斜めになって片側が浮き上がる。これにより、最外周あたりの消防ホースＨが２点鎖線で示すように巻上げホースＨＲからほどけ落ちて（矢印８５）、巻上げホースＨＲの巻き状態が崩れてしまうことがある。また、巻き終えにより巻上げホースＨＲに密着していた接続金具５６，５７が地面Ｅ上に散らばることも多い。そのため、せっかく整然と巻き終えた巻上げホースＨＲおよび接続金具５６，５７であるのに、手で整え直す必要があった。更には、巻上げホースＨＲの片側と巻取軸１１の先端が接地している状態であるので、巻取軸１１および掛止軸１２が巻上げホースＨＲから巻径方向に対し斜めの力を受けるため、巻上げホースＨＲから巻取軸１１および掛止軸１２を容易に引き抜けなかったのである。一方で、掛止軸１２が巻取軸１１よりも大径にされている場合があり、そのような場合は軸受部７４Ａ，７４Ｂ上に軸支されている巻取軸１１を水平方向に引き抜こうとしても、掛止軸１２が縦溝７６Ａの縁部に接触干渉して引き抜くことができない。
【０００６】
本発明は、上記した従来の問題点に鑑みてなされたものであって、消防ホースを手軽に巻き取れるのは無論のこと、巻き上げた消防ホースをその巻上げ形態を崩すことなく取り出すことのできる消防ホース巻取機の提供を目的とする。
【課題を解決するための手段】
【０００７】
上記目的を達成するために、本発明に係る消防ホース巻取機は、本体架台の軸受穴に、手回しハンドル軸付きの巻取軸が略水平軸心廻りに回動自在に軸支され、巻取軸に、消防ホースの巻き始め端部を掛止する掛止軸が設けられていて、巻取軸の手動回転により消防ホースを巻き取る消防ホース巻取機において、軸受穴から連続する連通溝が本体架台に設けられ、軸受穴および連通溝は、巻取軸が軸受穴を通り且つ掛止軸が連通溝を通って巻取軸軸心方向に挿脱可能となるように、それぞれ形成された構成にしてある。
【０００８】
また、前記の構成において、消防ホースを載置して巻取軸に案内する支持ロールを本体架台に回動自在に設け、巻取軸と平行に回動自在の押圧ロールを軸支する揺動部を本体架台に上下揺動自在に設け、揺動部に、支持ロールからの消防ホースに押圧ロールを弾性的に押し付ける付勢機構を設けたものである。
【０００９】
そして、前記の構成において、支持ロールの、消防ホースを巻取軸に案内する方向に沿う断面の外輪郭形状が多角形に形成されているものである。
【発明の効果】
【００１０】
本発明に係る消防ホース巻取機によれば、巻取軸が軸受穴を通り且つ掛止軸が連通溝を通って巻取軸軸心方向に挿脱可能となるように、軸受穴および連通溝が本体架台に形成されているので、巻き取り終了後に巻上げホースが本体架台に装着されたままで、巻取軸および掛止軸を水平軸心方向に抜き取ることができる。これにより、巻上げホースの巻上げ形態を崩すことなく巻上げホースを本体架台から取り出せる。また、巻取軸および掛止軸は巻上げホースの巻径方向に対して直角（水平方向）に向いているので、巻上げホースから大きな抵抗を受けることなく巻取軸および掛止軸を抜き取ることができる。
【００１１】
また、消防ホースを載置して巻取軸に案内する支持ロールを本体架台に回動自在に設け、巻取軸と平行に回動自在の押圧ロールを軸支する揺動部を本体架台に上下揺動自在に設け、揺動部に、支持ロールからの消防ホースに押圧ロールを弾性的に押し付ける付勢機構を設けた場合は、巻取り前の消防ホースを押圧ロールが押圧して消防ホースを扁平にするので、消防ホース内の水を支持ロール側へ押し戻すことができ、コンパクトに巻き取ることができる。
【００１２】
そして、支持ロールの、消防ホースを巻取軸に案内する方向に沿う断面の外輪郭形状が多角形に形成されている場合は、掛止軸に引っ張られる消防ホースが支持ロール上を通過する際に、支持ロールの外面角部で回転抵抗を受けるので、掛止軸と支持ロールとの間で消防ホースが展張される。従って、消防ホースがより扁平になるために、いっそう消防ホース内の水を搾り出して、よりコンパクトに巻くことができる。
【発明を実施するための最良の形態】
【００１３】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る消防ホース巻取機の外観図、図２は前記消防ホース巻取機の平面図、図３は前記消防ホース巻取機の右側面図、図４は前記消防ホース巻取機の要部を右側面から見た要部拡大図である。
各図において、この実施形態に係る消防ホース巻取機１は、巻取機基枠を成す本体架台２と、消防ホースＨを巻き取るハンドルセット１３と、消防ホースＨの下面に接して転動する押圧ロール３８を備えた揺動部３３と、押圧ロール３８を上向きに付勢して消防ホースＨに押し付ける付勢機構４０を備えている。
【００１４】
本体架台２は、側面視上下反転Ｕ字形状で左右に離間配置された一対の側枠３Ａ，３Ｂと、側枠３Ａ，３Ｂの前側下端間に架け渡して固設された基板５８と、側枠３Ａ，３Ｂの後側下端間に架け渡して固設された基板５９と、側枠３Ａの前後の脚部３Ａａ，３Ａａ間に架け渡して固設された側板４Ａと、側枠３Ｂの前後の脚部３Ｂａ，３Ｂａ間に架け渡して固設された側板４Ｂと、前方に突出した状態で側板４Ａ下方の脚部３Ａａ，３Ａａに固設された腕杆５Ａと、前方に突出した状態で側板４Ｂ下方の脚部３Ｂａ，３Ｂａに固設された腕杆５Ｂとから成っている。上記した一対の側枠３Ａ，３Ｂ、側板４Ａ，４Ｂ、腕杆５Ｂ，５Ｂはそれぞれ平行に配置されている。
【００１５】
腕杆５Ｂ，５Ｂの前端部にはそれぞれ枢支軸３０，３０がほぼ垂直に立設され、枢支軸３０，３０にガイドロール２９，２９が回動自在に枢支されている。これらのガイドロール２９，２９間を消防ホースＨが走行できるよう、腕杆５Ａ，５Ｂ間の離間寸法が設定されている。そして、ガイドロール２９，２９前方の腕杆５Ｂ，５Ｂ間には、ほぼ水平方向の枢支軸３１が横架固設され、この枢支軸３１に支持ロール３２が回動自在に枢支されている。支持ロール３２の側断面（消防ホースＨを巻取軸１１に案内する方向（矢印２４方向）に切断した場合の断面）の外輪郭形状は六角形となっている。
【００１６】
ハンドルセット１３は、図５に示すように、軸心が互いに平行する掛止軸１２が固設された巻取軸１１と、巻取軸１１の端部に直角に連結されたクランク軸１４と、クランク軸１４の先端に直角に連結されたハンドル軸１６と、ハンドル軸１６に回動自在に枢支されたハンドル１５と、ハンドル１５を抜け止め係止する留めリング１７，１７と、掛止軸１２とクランク軸１４間の巻取軸１１に固定されて側板４Ａの軸受穴６に回動自在に枢支される軸部１９と、軸部１９のクランク軸１４寄りに隣接して巻取軸１１に固定された円筒状のストッパ１８と、ストッパ１８および軸部１９を巻取軸方向に抜け止め係止する留めリング２０，２０とから構成されている。前記の掛止軸１２と巻取軸１１は離間配置され、掛止軸１２と巻取軸１１の間に扁平な消防ホースＨを挿し込めるようになっている。
【００１７】
そして、本体架台２の側板４Ａには、ハンドルセット１３の軸部１９を回動自在に軸支する大きさの軸受穴６が形成されている。この場合、巻取軸１１は軸部１９よりも小径であるから、軸受穴６は巻取軸１１を軸心Ｃ方向に挿脱可能な大きさ・形状の穴である。この軸受穴６と対向する側板４Ｂの対面位置には軸受部材８が貫通して取り付けられ、軸受部材８はナットなどの固定具９で側板４Ｂに固定されている。軸受部材８には水平方向の軸受穴１０が貫通して設けられている。すなわち、巻取軸１１は水平軸心Ｃ廻りで回動自在に軸受穴６および軸受穴１０に軸支される。更に、本体架台２の側板４Ａには、軸受穴６から連続する連通溝７が形成されている。この連通溝７は、巻取軸１１が軸受穴６から軸心Ｃ方向に挿脱される際に掛止軸１２を挿脱できる大きさ・形状に形成されている。
【００１８】
スライダ２１は、図３、図４、図５などに示すように、側板４Ａの周囲を取り巻く角筒状に形成されていて、側板４Ａに前後摺動自在に装着されている。スライダ２１の外板前部には、右外向きに突出し更に下向きに屈曲した抜け止め鉤部２３が設けられている。抜け止め鉤部２３の外向き突出長は、ハンドルセット１３の巻取軸１１が側板４Ａの軸受穴６に挿し込まれて規定通りに装着されたとき（ストッパ１８が側板４Ａの外面に当接した状態）に、抜け止め鉤部２３の先端がストッパ１８よりも外方に位置する寸法に設定されている。また、スライダ２１の外板前部には、スライダ２１を前方移動させたときにストッパ１８の一部分を囲める大きさに切り欠かれた半円状の欠円部２２が形成されている。
【００１９】
揺動部３３は、図２、図３、図６などに示すように、前側の脚部３Ａａ，３Ｂａ間に腕杆５Ａ，５Ｂの下方位置で架け渡された枢支軸３４と、枢支軸３４に回動自在に枢支された円筒部材３５と、腕杆５Ａ，５Ｂの内面近傍にそれぞれ配置されて末端が円筒部材３５に固設された一対の揺動腕３６，３６と、一対の揺動腕３６，３６の先端間に架け渡された枢支軸３７とから構成されている。前記の枢支軸３７は、巻かれる直前の消防ホースＨを載置する押圧ロール３８を回動自在に枢支している。押圧ロール３８の両端には、消防ホースＨの左右方向の位置決めをする円板状の鍔部３９，３９がそれぞれ取り付けられている。すなわち、押圧ロール３８は巻取軸１１の軸心Ｃと平行の軸心廻りに回動自在となっており、枢支軸３４廻りに上下揺動自在（図３の矢印５０方向）となっている。
【００２０】
付勢機構４０は、図６などに示すように、コイルバネ５４を収容したシリンダ４５と、シリンダ４５の上下面の軸穴５１，５２を貫通して矢印４９方向に摺動自在に配備された摺動軸４４と、摺動軸４４の上端に連結された正面視略Ｕ字状の受け部材４３と、円筒部材３５の外周面に固設されたクランク軸４１と、受け部材４３に取り付けられてクランク軸４１の先端を枢支する枢支軸４２とを備えている。シリンダ４５の左右側面には軸４６，４６がそれぞれ左右外向きに突設されている。前側の脚部３Ａａ，３Ｂａにそれぞれ設けられた軸受突部４７，４７に前記の軸４６，４６が回動自在に軸支されることにより、シリンダ４５が上下（矢印４８方向）に揺動自在となっている。また、コイルバネ５４の下端はシリンダ４５内の底面に支持され、上端は摺動軸４４に固設された係止板５３に係止されている。
【００２１】
引続き、消防ホース巻取機１の使用態様を説明する。まず、スライダ２１を後方（図４参照、矢印２６の反対方向）にスライドさせて側板４Ａの軸受穴６および連通溝７を開放する。次に、巻取軸１１を側板４Ａの軸受穴６から差し込み、巻取軸１１の先端を側板４Ｂ側の軸受部材８の軸受穴１０に通す（図５参照、矢印２７方向）。続いて、スライダ２１を前方（図４の矢印２６方向）にスライドさせ、抜け止め鉤部２３でストッパ１８の側方を被ってハンドルセット１３をロックし抜け落ちを防ぐ。
次に、図７および図５に示すように、消防ホースＨを長手方向のほぼ中間部分で折り返して二重に重ね、接続金具５６と接続金具５７を揃えておく。そして、折返し部分を引いて二重の消防ホースＨを支持ロール３２上に乗せ、更に、押圧ロール３８の上面を経て巻取軸１１の下方から後方に通し、消防ホースＨの折返し部分を掛止軸１２に掛止させる（図５の２点鎖線の矢印２８方向）。この場合、消防ホースＨの折返し部分が巻き始め端部ＨＳである。
【００２２】
そこで、ハンドル１５を手で持ってハンドルセット１３を矢印２５方向に回すと、軸心Ｃ廻りに回転する巻取軸１１および掛止軸１２により消防ホースＨが巻き取られて矢印２４方向に引かれる。このとき、走行する消防ホースＨが支持ロール３２の外面角部と接触することにより支持ロール３２に回転抵抗が生じるため、消防ホースＨは巻取軸１１および掛止軸１２と支持ロール３２との間でピーンと展張される。これにより、消防ホースＨが扁平になりやすく、消防ホースＨ内に残っている水は接続金具５６，５７側へ向けて排出される。更に、前記のような消防ホースＨの展張状態に加えて、付勢機構４０のコイルバネ５４の弾性付勢力により押圧ロール３８が消防ホースＨの下面に上向き（図７の矢印５５方向）に押し付けられる。これにより、消防ホースＨが更に扁平となり消防ホースＨ内の水が搾り出される。従って、図８に示した巻上げホースＨＲのように、消防ホースＨを小径・コンパクトに巻くことができる。
【００２３】
こうして消防ホースＨを巻き終えると、図９に示すように、巻上げホースＨＲとなる。そこで、スライダ２１を後方へスライドさせて、ストッパ１８のロック状態を解除する。かかるスライダ２１のスライド操作により、ストッパ１８のロック状態とロック解除状態とを極めて容易に切り換えることができる。この状態で、ハンドルセット１３を軸心Ｃ方向の外向き（図５の矢印２７の反対方向）に引くと、巻取軸１１および掛止軸１２が巻上げホースＨＲの巻き始め端部ＨＳから抜き取られ、更に軸受穴６および連通溝７をそれぞれ通過してハンドルセット１３全体が抜き取られる。このときの状態は図９に示した通りであり、巻上げホースＨＲから巻取軸１１および掛止軸１２を大きな抵抗もなく抜き取ることができた。そして、巻上げホースＨＲは巻き上げたままの形態を崩すことなく消防ホース巻取機１から取り出すことができ、そのままホース格納庫などの所定保管場所に収めることができた。
【００２４】
尚、上記の実施形態では、側面から見た連通溝７の形状を長方形にしたが、本発明に係る連通溝の側面形状は掛止軸を巻取軸軸心方向に挿脱できる大きさ・形状に形成されていれば特に限定されず、側面視で例えば正方形、三角形、多角形、円形、楕円形、長円形などが挙げられる。
【００２５】
また、上記では支持ロール３２の側断面の外輪郭形状を六角形にしたが、本発明の支持ロールの側断面外輪郭形状は多角形であれば特に限定されるものでない。但し、巻き取られる消防ホースＨに適度のテンションを与え、過度のテンションを与えることのない外輪郭形状を採用することが望ましく、かかる外輪郭形状としては四角形から八角形位までが適している。
【００２６】
そして、上記では、消防ホースＨを二重巻きした例を示したが、図１０に示すように、消防ホースＨを一重のままとし、例えば、接続金具５６側の端部を巻き始め端部ＨＳとして巻取軸１１と掛止軸１２の間に差し込み掛止させて、消防ホースＨを一重巻きすることも可能である。逆に、接続金具５７側の端部を巻き始め端部ＨＳとして一重巻きすることもできる。
【図面の簡単な説明】
【００２７】
【図１】本発明の一実施形態に係る消防ホース巻取機の外観図である。
【図２】前記消防ホース巻取機の平面図である。
【図３】前記消防ホース巻取機の右側面図である。
【図４】前記消防ホース巻取機の要部を右側面から見た要部拡大図である。
【図５】前記消防ホース巻取機に用いるハンドルセットの正面図であり、図４のＡ−Ａ線矢視対応図である。
【図６】前記消防ホース巻取機に用いる揺動部および付勢機構を右側面から見た一部断面を含む要部拡大図である。
【図７】前記消防ホース巻取機を用いて消防ホースの二重巻きを始める状態を示す状態説明図である。
【図８】前記消防ホースを巻いている途中の状態を示す状態説明図である。
【図９】前記消防ホースを巻き上げた状態を示す状態説明図である。
【図１０】前記消防ホース巻取機を用いて消防ホースの一重巻きを始める状態を示す状態説明図である。
【図１１】従来の消防ホース巻取機の外観図である。
【図１２】従来の消防ホース巻取機を用いて巻き上げた巻上げホースを地面の上に置いた状態を示す状態説明図である。
【符号の説明】
【００２８】
１    消防ホース巻取機
２    本体架台
４Ａ，４Ｂ  側板
５Ａ，５Ｂ  腕杆
６    軸受穴
７    連通溝
１１  巻取軸
１２  掛止軸
１６  ハンドル軸
２４，２５，２７，５０，５５  矢印
３２  支持ロール
３３  揺動部
３４  枢支軸
３５  円筒部材
３６  揺動腕
３７  枢支軸
３８  押圧ロール
４０  付勢機構
４１  クランク軸
４２  枢支軸
４３  受け部材
４４  摺動軸
４５  シリンダ
５３  係止板
５４  コイルバネ
Ｃ    軸心
Ｈ    消防ホース
ＨＳ  巻き始め端部
ＨＲ  巻上げホース
【図１】
2006021848.tif 000003
【図２】
2006021848.tif 000004
【図３】
2006021848.tif 000005
【図４】
2006021848.tif 000006
【図５】
2006021848.tif 000007
【図６】
2006021848.tif 000008
【図７】
2006021848.tif 000009
【図８】
2006021848.tif 000010
【図９】
2006021848.tif 000011
【図１０】
2006021848.tif 000012
【図１１】
2006021848.tif 000013
【図１２】
2006021848.tif 000014